(57)【要約】　　　（修正有）【課題】魚類が繁殖し易い良好な環境を形成することができる高性能な横臥筒体配列式人工魚礁ブロックを提供する。【解決手段】水中で魚類が出入り可能に枠状に形成された魚礁ブロック体１と；海藻類を表面に着生せしめるための筒体３を内部に収容可能なバスケット２と；を含んで構成され、魚礁ブロック体１に形成される内部空間Ｓにおいて、バスケット２が、その直下に一定の空間が確保されるように懸架されている一方、バスケット２内において、筒体３・３…を略水平に横臥して配列収容する。【選択図】　図３
0003098204.tif 000002
【実用新案登録請求の範囲】
【請求項１】
水中で魚類が出入り可能に枠状に形成された魚礁ブロック体１と；海藻類を表面に着生せしめるための筒体３を内部に収容可能なバスケット２と；を含んで構成され、
前記魚礁ブロック体１に形成される内部空間Ｓにおいて、前記バスケット２が、その直下に一定の空間が確保されるように懸架されている一方、
当該バスケット２内において、前記筒体３・３…が略水平に横臥して配列収容されていることを特徴とする横臥筒体配列式人工魚礁ブロック。
【請求項２】
魚礁ブロック体１はコンクリート製であることを特徴とする請求項１記載の横臥筒体配列式人工魚礁ブロック。
【請求項３】
バスケット２は鉄製であり、かつ、上部に掛止フランジ２１が固着されており、魚礁ブロック体１の上面開口部縁にこの掛止フランジ２１が掛止して当該バスケット２が懸架されていることを特徴とする請求項１または２記載の横臥横臥筒体配列式人工魚礁ブロック。
【請求項４】
筒体３の少なくとも一方の端縁外周に拡径フランジ３１が形成されていることを特徴とする請求項１〜３の何れか一つに記載の横臥筒体配列式人工魚礁ブロック。
【請求項５】
略同サイズで円筒状に形成された複数の筒体３・３…が単位数量毎に束縛されてバスケット２内に収容されていることを特徴とする請求項１〜４の何れか一つに記載の横臥筒体配列式人工魚礁ブロック。
【請求項６】
略同サイズで円筒状に形成された複数の筒体３・３…が階層的に格子状交互に組み付けられて配列収容されていることを特徴とする請求項１〜４の何れか一つに記載の横臥筒体配列式人工魚礁ブロック。
【請求項７】
筒体３の表面に着生凸起が形成されていることを特徴とする請求項１〜６の何れか一つに記載の横臥筒体配列式人工魚礁ブロック。
【請求項８】
魚礁ブロック体１および／またはバスケット２の表面に植毛板４が付設されていることを特徴とする請求項１〜７の何れか一つに記載の横臥筒体配列式人工魚礁ブロック。
【請求項９】
筒体３の貫通口３２の少なくとも一部が魚礁ブロック体１の上面開口部縁に現出するように当該筒体３・３…をバスケット２内に収容配列したことを特徴とする請求項１〜８の何れか一つに記載の横臥筒体配列式人工魚礁ブロック。
【請求項１０】
魚礁ブロック体１の底面に突脚部１３が形成されていることを特徴とする請求項１〜９の何れか一つに記載の横臥筒体配列式人工魚礁ブロック。
【考案の詳細な説明】
【０００１】
【考案の属する技術分野】
本考案は、人工魚礁ブロックの改良、更に詳しくは、魚類が繁殖し易い良好な環境を形成することができる高性能な横臥筒体配列式人工魚礁ブロックに関するものである。
【０００２】
【従来の技術】
アイナメやメバル、クロダイ、キジハタ、カサゴなどの魚類は磯釣りの好対象であり、食用としても大変美味である。これらの魚類は、アラメやカジメ、ホンダワラなどの褐藻類に蝟集する動物性プランクトンなどを餌料としており、これらの海藻類の藻場を造成するために、漁場に何らかの人工的手段を施して環境を改善する「漁場改良」が広く行われている。
【０００３】
この漁場改良の手法の一つとして、自然石を投入して積層する手法がある。しかし、この手法は安価ではあるが、投入した自然石は海底に積層されることから表面に泥が付き易く、海藻類の着生が悪くなるという欠点や、また、投入する使用量の割には表層の面積が不可避的に小さくなってしまうので無駄が多いという欠点があった。
【０００４】
また、コンクリートブロックで形成された人工魚礁を沈設する手法も用いられるが、それだけでは餌料となる海藻の生育の促進効果が薄く、魚類が一時的に集まる程度であった。
【０００５】
【考案が解決しようとする課題】
本考案者は、良好な漁場を生成すべく魚類の繁殖のために用いられる人工魚礁の改良の研究を行っていたところ、魚類が成長し易い良好な環境を形成するべきであろうとの着想を得た。そして、このような理想的な環境が提供できる人工魚礁ブロックを造作できないかと思案した結果、魚類の餌料となる動物性プランクトンを蝟集する海藻類の着生を促進すると同時に、その稚魚たちが外敵から保護されるように構成するという解決策を思い付いた。
【０００６】
そこで、本考案者は、まず、魚類の餌料となる海藻類の増殖のための公知技術である、鉄あるいは鉄化合物を海水中において酸化させて微細な酸化鉄として、さらに紫外線の作用により鉄イオンを生成して海藻を増殖させるという方法と、稚魚たちを外敵から保護するような形状に構成するという方法を合わせることによって、結果的に魚類の収量を増加せしめることができる本考案の横臥筒体配列式人工魚礁ブロックを完成するに至った。
【０００７】
【課題を解決するための手段】
本考案者が上記課題を解決するために採用した手段を添付図面を参照して説明すれば次のとおりである。
【０００８】
即ち、本考案は、水中で魚類が出入り可能に枠状に形成された魚礁ブロック体１と；海藻類を表面に着生せしめるための筒体３を内部に収容可能なバスケット２と；を含んで構成され、
前記魚礁ブロック体１に形成される内部空間Ｓにおいて、前記バスケット２が、その直下に一定の空間が確保されるように懸架されている一方、
当該バスケット２内において、前記筒体３・３…を略水平に横臥して配列収容するという技術的手段を採用した。
【０００９】
また、本考案は、上記課題を解決するために、必要に応じて上記手段に加え、魚礁ブロック体１をコンクリート製にするという技術的手段を採用した。
【００１０】
更にまた、本考案は、上記課題を解決するために、必要に応じて上記手段に加え、バスケット２は鉄製であり、かつ、上部に掛止フランジ２１を固着し、魚礁ブロック体１の上面開口部縁にこの掛止フランジ２１を掛止して当該バスケット２を懸架するという技術的手段を採用した。
【００１１】
更にまた、本考案は、上記課題を解決するために、必要に応じて上記手段に加え、筒体３の少なくとも一方の端縁外周に拡径フランジ３１を形成するという技術的手段を採用した。
【００１２】
更にまた、本考案は、上記課題を解決するために、必要に応じて上記手段に加え、略同サイズで円筒状に形成された複数の筒体３・３…を単位数量毎に束縛してバスケット２内に収容するという技術的手段を採用した。
【００１３】
更にまた、本考案は、上記課題を解決するために、必要に応じて上記手段に加え、略同サイズで円筒状に形成された複数の筒体３・３…を階層的に格子状交互に組み付けて配列収容するという技術的手段を採用した。
【００１４】
更にまた、本考案は、上記課題を解決するために、必要に応じて上記手段に加え、筒体３の表面に着生凸起を形成するという技術的手段を採用した。
【００１５】
更にまた、本考案は、上記課題を解決するために、必要に応じて上記手段に加え、魚礁ブロック体１および／またはバスケット２の表面に植毛板４を付設するという技術的手段を採用した。
【００１６】
更にまた、本考案は、上記課題を解決するために、必要に応じて上記手段に加え、筒体３の貫通口３２の少なくとも一部が魚礁ブロック体１の上面開口部縁に現出するように当該筒体３・３…をバスケット２内に収容配列するという技術的手段を採用した。
【００１７】
更にまた、本考案は、上記課題を解決するために、必要に応じて上記手段に加え、魚礁ブロック体１の底面に突脚部１３を形成魚礁するという技術的手段を採用した。
【００１８】
【考案の実施の形態】
本考案の実施形態を具体的に図示した図面に基いて更に詳細に説明すると次のとおりである。
【００１９】
『第１実施形態』
本考案の第１実施形態を図１から図５に基いて説明する。図中、符号１で指示するものは魚礁ブロック体であり、この魚礁ブロック体１はコンクリートを使用材料とした枠状の六面体であって、上面から底面に向って裾広がりに傾斜させて成形され、各壁面には開口部１１が形成されていると共に、内部空間Ｓが形成される。また、上面には吊り金具１２が四隅に配設されている。
【００２０】
符号２で指示するものはバスケットであり、このバスケット２は鉄製であって網状に形成され、上面部は開口されており、この上面部の縁部には掛止フランジ２１が固着されている。さらに上面部において鉄製の止めバー２２が着脱自在に並列して開口部に架設できるように構成されている。
【００２１】
また、符号３で指示するものは筒体であり、この筒体３は海藻類を表面に着生せしめるためのものであって、前記バスケット２の内部に収容される。この際、沈水可能な材料で作製し、本実施形態では、陶器やセラミックなどで製したものを採用し、円筒形状に形成する。この陶器は、粘土を主原料としているため、有害物質の溶出などが無く、環境に対しての負荷が少ないという利点と、表面が多孔質であるため、海藻の胞子が着生しやすいという利点がある。
【００２２】
しかして、本考案の人工魚礁ブロックを構成するにあっては、まず、魚礁ブロック体１の内部空間Ｓにおいて、バスケット２を魚礁ブロック体１の上面の開口部１１から落し込んで、バスケット２の上面部の縁部に固着した掛止フランジ２１を魚礁ブロック体１の上面の開口部縁に掛止する。
【００２３】
この際、バスケット２の深さは魚礁ブロック体１の底面までは到達しないように成形されており、直下に一定の空間が確保されるようにする。このようにしてバスケット２は魚礁ブロック体１の上面側から下方に懸架される。
【００２４】
次いで、バスケット２内において、前記筒体３・３…を略水平に横臥せしめて配列収容する。本実施形態では、筒体３の方向が一致するように並行配列する。
【００２５】
そして、このバスケット２の上面の開口部の掛止フランジ２１の上に鉄製の止めバー２２を３本並列して架設する。この止めバー２２は海中で鉄イオンを放出すると共に、剛性を強化することもできる。然る後、魚礁ブロック体１の上面の四隅に固定された吊り金具１２にクレーンのフック等を引っ掛けて魚礁ブロック体１を海中に沈設することができる。
【００２６】
すると、海中に生息する魚類は、海底に達した魚礁ブロック体１の各壁面の開口部１１からブロック内に出入り可能である。そして、経時と共に鉄製であるバスケット２および止めバー２２が徐々に酸化して鉄イオンを放出する。この鉄イオンには、魚類が好む餌料となるアラメやカジメ、ホンダワラなどの褐藻類の生育を促進する作用がある。
【００２７】
更に、本実施形態では、魚礁ブロック体１を上面から底面に向って裾広がりに傾斜させて成形することによって、周壁部分は直立した壁面に比して根付きが良くなると共に、日光を受ける面積も大きくすることができる。また、側面開口部１１の底側にも着生が可能な棚部分を広く形成することができ、しかも、日光を受け易いので生育の好条件となる。
【００２８】
従って、魚礁ブロック体１の周壁および筒体３の表面に多くの褐藻類が着生することによって、結果的にアイナメやメバル、クロダイ、キジハタ、カサゴなどの魚類が成長し易い環境を形成することができる（図３参照）。
【００２９】
なお、本実施形態の変形例として、図４に示すように、筒体３の貫通口３２の少なくとも一部が魚礁ブロック体１の上面開口部縁に現出するように当該筒体３・３…をバスケット２内に収容配列することにより、当該貫通口３２から魚類が自由に往来することができ、内部空間を有効に活用することができる。また、必要に応じて、魚礁ブロック体１の底面に突脚部１３を形成することにより、不陸な海底への安定配置や、底面付近の空間を有効に活用することもできる。
【００３０】
更にまた、本実施形態の別の変形例として、図５に示すように、略同サイズで円筒状に形成された複数の筒体３・３…を単位数量（本実施形態では、６個または３個）毎に束縛してバスケット２内に収容することができ、施工性が良く、スッキリと安定的に収容させることができる。また、バスケット２の格子枠の形状も図示のように変更することができる。
【００３１】
『第２実施形態』
次に、本考案の第２実施形態を図６および図７に基いて説明する。本実施形態では、筒体３の少なくとも一方の端縁外周に拡径フランジ３１が形成されている。
【００３２】
そして、図７に示すように、略同サイズで円筒状に形成された複数の筒体３・３…を階層的に格子状交互に組み付けて配列収容することができる。この際、拡径フランジ３１が所要間隔を保つためのスペーサ的役割となり、規則的に配列させることができるのである。
【００３３】
また、必要に応じて、筒体３の表面にリブ形や粒形の着生凸起を形成することができ、表面積を増加させることによって、より効果的に海藻を着生させることができる。
【００３４】
『第３実施形態』
次に、本考案の第３実施形態を図８に基いて説明する。本実施形態では、魚礁ブロック体１および／またはバスケット２の表面に植毛板４（例えば、本出願人が、嘗て出願した実用新案登録第３０７７６３０号公報、第２図参照）を付設することも可能であり、魚礁ブロック全体としての表面の付着効率を高めることができる。
【００３５】
本考案は概ね上記のように構成されるが、本考案は図示の実施例に限定されるものでは決してなく、「実用新案登録請求の範囲」の記載内において種々の変更が可能であって、例えば、魚礁ブロック体１は沈水する材料であれば良いし、また、形状は六面体に限らず、内部空間が形成されてバスケット２が懸架できる形状であれば良い。
【００３６】
更にまた、筒体３は円筒形に限らず、多角筒形のものであっても良いし、使用材料は陶器やセラミックなどに限らず、海水よりも比重が大きくて沈水するものであれば良い。また、筒体胴部に貫通孔を有するものであっても良く、何れのものも本考案の技術的範囲に属する。
【００３７】
【考案の効果】
以上、実施形態を挙げて説明したとおり、本考案にあっては、バスケットの直下部分において、魚礁ブロック体の底面から一定の空間を有するように懸架することによって、筒体に浮泥が付着して堆積したりすることを防止することができる。
【００３８】
また、筒体を採用したことにより、海藻類が着生する表面積を大きくすることができる。更にまた、バスケットは鉄製であるので、鉄イオンの溶出によって着生する海藻類の生育を促進し、より多くの餌料を魚類に提供することができる。
【００３９】
更にまた、筒体を略水平に横臥して配列したことによって、海流などの外力に対しても配列が崩され難い安定構造にすることができる。
【００４０】
更にまた、稚魚にとってこのバスケットの直下部分の空間、および筒体の内空部は恰好の隠れ場所となるので、外敵から身を護ることができ、これらの効果より貴重な海産資源の繁殖を促進することが可能となることから、産業上における利用価値は頗る高い。
【図面の簡単な説明】
【図１】本考案の第１実施形態品の構造を表わす分解斜視図である。
【図２】本考案の第１実施形態品を表わす全体斜視図である。
【図３】本考案の第１実施形態品の使用状態を表わす全体正面図である。
【図４】本考案の第１実施形態品の変形例を表わす全体斜視図である。
【図５】本考案の第１実施形態品の変形例を表わす全体正面図である。
【図６】本考案の第２実施形態品を表わす全体斜視図である。
【図７】本考案の第２実施形態品の筒体配列例を表わす説明上面図である。
【図８】本考案の第３実施形態品を表わす全体斜視図である。
【符号の説明】
１　　魚礁ブロック体
１１　開口部
１２　吊り金具
１３　突脚部
Ｓ　内部空間
２　　バスケット
２１　掛止フランジ
２２　止めバー
３　　筒体
３１　拡径フランジ
３２　貫通口
４　　植毛板
【図１】
0003098204.tif 000003
【図２】
0003098204.tif 000004
【図３】
0003098204.tif 000005
【図４】
0003098204.tif 000006
【図５】
0003098204.tif 000007
【図６】
0003098204.tif 000008
【図７】
0003098204.tif 000009
【図８】
0003098204.tif 000010